(57)【要約】【課題】所謂屑片を生成せしめることなく中栓（４）の閉塞壁（８）に通過開口（９４）を生成し、破断可能薄肉ライン（３６）を充分確実に所要とおりに破断することができる、中栓及び蓋本体（６）を具備する合成樹脂製容器蓋を提供すること。【解決手段】中栓は閉塞壁及び装着壁（１０）を含み、蓋本体は覆壁（５０）及び嵌合壁（５２）を含む。閉塞壁には破断可能薄肉ライン及び被係止手段（４４）が配設されており、覆壁には係止手段（８６）が配設されている。中栓に蓋本体を所要とおりに装着すると係止手段が被係止手段に係止せしめられる。【選択図】図１
2014101125.tif 000002
【特許請求の範囲】
【請求項１】
容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には少なくとも１個の破断可能薄肉ラインが形成されており、該破断可能薄肉ラインは破断開始端部から延びる外側弧状部と該破断開始端部から延びる内側弧状部とを有し、該外側弧状部と該内側弧状部との間に円弧状変形領域が規定されており、
該変形領域における該破断開始端近傍上面には被係止手段が配設されており、
該蓋本体の該覆壁には少なくとも１個の排出開口が形成されており、該覆壁の下面には該中栓に該蓋本体を装着すると該中栓の該被係止手段に係止せしめられる係止手段が配設されており、
該中栓に該蓋本体を装着した状態において、該中栓に対して該蓋本体を所定方向に回転せしめると、該係止手段及び該被係止手段を介して該変形領域に力が加えられ、該中栓の該破断可能薄肉ラインが破断されると共に該変形領域が変形され、これによって該中栓の該閉塞壁に通過開口が生成される、
ことを特徴とする容器蓋。
【請求項２】
該中栓の該閉塞壁には該破断可能薄肉ラインが周方向に等間隔をおいて２個乃至３個形成され、該変形領域が周方向に等間隔をおいて２個乃至３個規定されている、請求項１記載の容器蓋。
【請求項３】
該中栓の該装着壁の外周面と該蓋本体の該嵌合壁の内周面との一方には、少なくとも１個の位置決め溝が形成され、他方には少なくとも１個の位置決め突起が形成されており、該位置決め溝内に該位置決め突起を進入せしめて該中栓に該蓋本体を装着することによって、該中栓に対する該蓋本体の相対的角度位置が規制され、該中栓の該被係止手段の各々に該蓋本体の該係止手段の各々が係止せしめられる、請求項１又は２記載の容器蓋。
【請求項４】
該中栓の該被係止手段は、該変形領域から上方に延びる支柱と該支柱に付設されたリングとから構成されており、該蓋本体の該係止手段は、該覆壁から垂下するフック形状片から構成されている、請求項１から３までのいずれかに記載の容器蓋。
【請求項５】
該中栓の該閉塞壁に形成されている該破断可能薄肉ラインの該外側弧状部及び該内側弧状部は上方から見て反時計方向に該破断開始端から延在し、該所定方向は上方から見て反時計方向である、請求項１から４までのいずれかに記載の容器蓋。
【請求項６】
該中栓の該装着壁の外周面と該蓋本体の該嵌合壁の内周面とには、相互に協働して該中栓に対して該蓋本体が該所定方向に対して反対方向に回転するのを阻止する回転阻止手段が形成されている、請求項１から５までのいずれかに記載の容器蓋。
【請求項７】
該中栓の該装着壁の外周面と該蓋本体の該嵌合壁の内周面とには、該中栓に対する該蓋本体の上方から見て反時計方向への回転を所定角度に制限する回転制限手段が形成されている、請求項１から６までのいずれかに記載の容器蓋。
【請求項８】
該中栓の該装着壁の外周面と該蓋本体の該嵌合壁の内周面とには、該中栓に対して該蓋本体が該反時計方向に該回転制限手段によって制限されるまで回転せしめられると、該中栓に対して該蓋本体が該所定方向に対して反対方向に回転するのを阻止する逆転阻止手段が形成されている、請求項７記載の容器蓋。
【請求項９】
該中栓の該閉塞壁に規定されている該変形領域は該破断開始端から該破断可能薄肉ラインの破断に向かって漸次下方に傾斜せしめられている、請求項１から８までのいずれかに記載の容器蓋。
【発明の詳細な説明】
【技術分野】
【０００１】
本発明は、容器の口頸部に装着される合成樹脂製中栓とこの中栓に装着される合成樹脂製蓋本体とから構成された容器蓋に関する。
【背景技術】
【０００２】
下記特許文献１には、容器の口頸部に装着される合成樹脂製中栓とこの中栓に装着される合成樹脂製蓋本体とから構成された容器蓋が開示されている。中栓は円形閉塞壁及びこの閉塞壁の外周縁に接続された筒形装着壁を含み、装着壁を容器の口頸部の外周面に嵌合せしめることによって容器の口頸部に装着され、閉塞壁が容器の口頸部を閉塞する。蓋本体は円形覆壁及びこの覆壁の外周面に接続された嵌合壁を含み、嵌合壁の内周面に形成されている雌螺条を中栓の装着壁の外周面に形成されている雄螺条に螺合せしめることによって中栓に装着され、覆壁は中栓の閉塞壁の上方に位置する。中栓の閉塞壁には勾玉状の除去領域を規定する破断可能薄肉ラインが形成されていると共に、除去領域から上方に延出する鍵状被係止片が形成されている。蓋本体の覆壁の下面には中栓の被係止片に係止せしめられる鍵状係止片が形成されている。中栓に蓋本体が所用とおりに装着されている状態において、中栓に対して蓋本体を上方から見て反時計方向（中栓から蓋本体を離脱する方向）に回転せしめると、蓋本体の係止片及び中栓の被係止片を介して中栓の除去領域に力が加えられ、破断可能薄肉ラインが破断されて除去領域が閉塞壁から除去され、これにとって閉塞壁に通過開口が生成される。
【先行技術文献】
【特許文献】
【０００３】
【特許文献１】特開２００５−５９９３３号公報
【発明の概要】
【発明が解決しようとする課題】
【０００４】
上記特許文献１に開示されている上記のとおりの容器蓋は、中栓の閉塞壁に指を当接せしめて衛生上の問題を発生せしめることなく、単に中栓に対して蓋本体を回転せしめることによって中栓の閉塞壁に形成されている破断可能薄肉ラインを破断して除去領域を閉塞壁から除去して通過開口を生成することができる。しかしながら、未だ充分に満足し得るものではなく、除去領域が閉塞壁から分離されて所謂屑片となり、かかる屑片が容器内に入り込んでしまう、或いは屑片を取り出して破棄するという煩雑な処理を遂行することが必要である。また、係止片と被係止片との係止が必ずしも充分ではないことに起因して、破断可能薄肉ラインを所要とおりに破断することができない虞もある。
【０００５】
本発明は上記事実に鑑みてなされたものであり、その主たる技術的課題は、所謂屑片を生成せしめることなく中栓の閉塞壁に通過開口を生成することができる、新規且つ改良された容器蓋を提供することである。
【０００６】
本発明の他の技術的課題は、上記主たる技術的課題の解決に加えて、破断可能薄肉ラインを充分確実に所要とおりに破断することができる、新規且つ改良された容器蓋を提供することである。
【課題を解決するための手段】
【０００７】
本発明によれば、中栓の閉塞壁に形成する破断可能薄肉ラインを独特な形態にすることによって上記主たる技術的課題が達成される。
【０００８】
即ち、本発明によれば、上記主たる技術的課題を達成することができる容器蓋として、容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には少なくとも１個の破断可能薄肉ラインが形成されており、該破断可能薄肉ラインは破断開始端部から延びる外側弧状部と該破断開始端部から延びる内側弧状部とを有し、該外側弧状部と該内側弧状部との間に円弧状変形領域が規定されており、
該変形領域における該破断開始端近傍上面には被係止手段が配設されており、
該蓋本体の該覆壁には少なくとも１個の排出開口が形成されており、該覆壁の下面には該中栓に該蓋本体を装着すると該中栓の該被係止手段に係止せしめられる係止手段が配設されており、
該中栓に該蓋本体を装着した状態において、該中栓に対して該蓋本体を所定方向に回転せしめると、該係止手段及び該被係止手段を介して該変形領域に力が加えられ、該中栓の該破断可能薄肉ラインが破断されると共に該変形領域が変形され、これによって該中栓の該閉塞壁に通過開口が生成される、
ことを特徴とする容器蓋が提供される。
【０００９】
上記他の技術的課題は、該中栓の該被係止手段を該変形領域から上方に延びる支柱と該支柱に付設されたリングとから構成し、該蓋本体の該係止手段を該覆壁から垂下するフック形状片から構成することによって達成される。
【００１０】
好ましくは、該中栓の該閉塞壁には該破断可能薄肉ラインが周方向に等間隔をおいて２個乃至３個形成され、該変形領域が周方向に等間隔をおいて２個乃至３個規定されている。該中栓の該装着壁の外周面と該蓋本体の該嵌合壁の内周面との一方には、少なくとも１個の位置決め溝が形成され、他方には少なくとも１個の位置決め突起が形成されており、該位置決め溝内に該位置決め突起を進入せしめて該中栓に該蓋本体を装着することによって、該中栓に対する該蓋本体の相対的角度位置が規制され、該中栓の該被係止手段の各々に該蓋本体の該係止手段の各々が係止せしめられるのが好適である。該中栓の該閉塞壁に形成されている該破断可能薄肉ラインの該外側弧状部及び該内側弧状部は上方から見て反時計方向に該破断開始端から延在し、該所定方向は上方から見て反時計方向であるのが好都合である。該中栓の該装着壁の外周面と該蓋本体の該嵌合壁の内周面とには、相互に協働して該中栓に対して該蓋本体が該所定方向に対して反対方向に回転するのを阻止する回転阻止手段が形成されており、また該中栓に対する該蓋本体の該所定方向への回転を所定角度に制限する回転制限手段が形成されており、そして更に該中栓に対して該蓋本体が該所定方向に該回転制限手段によって制限されるまで回転せしめられると、該中栓に対して該蓋本体が該所定方向に対して反対方向に回転するのを阻止する逆転阻止手段が形成されているのが好ましい。好適には、該中栓の該閉塞壁に規定されている該変形領域は該破断開始端から該破断可能薄肉ラインの破断に向かって漸次下方に傾斜せしめられている。
【発明の効果】
【００１１】
本発明の容器蓋においては、中栓の閉塞壁に指を当接せしめて衛生上の問題を生成せしめることなく、単に中栓に対して蓋本体を所定方向に回転せしめることによって中栓の閉塞壁に通過開口を生成することができることに加えて、中栓の通過開口は変形領域を（閉塞壁から分離することなく）変形せしめることによって生成され、従って所謂屑片が発生することはない。中栓の被係止手段を変形領域から上方に延びる支柱とこの支柱に付設されたリングとから構成し、蓋本体の係止手段を覆壁から垂下するフック形状片から構成する場合、リングをフック形状片の相互係止は充分に強固であり、相互係止が毀損されてしまう虞は実質上皆無であり、破断可能薄肉ラインは充分確実に破断される。
【図面の簡単な説明】
【００１２】
【図１】本発明に従って構成された容器蓋の好適実施形態の、中栓のＡ−Ａ断面図。
【図２】図１に示す中栓の平面図。
【図３】図１に示す中栓の正面図。
【図４】本発明に従って構成された容器蓋の好適実施形態の、蓋本体の断面図。
【図５】図４に示す蓋本体の底面図。
【図６】本発明に従って構成された中栓と蓋本体を組み合わせた状態で容器に装着させた状態の断面図。
【図７】本発明に従って構成された中栓と蓋本体を組み合わせた状態で容器に装着させた状態の正面図。
【図８】本発明に従って構成された中栓と蓋本体を組み合わせた状態で容器に装着させ、蓋本体を中栓に対して開方向に略１８０度回転せしめた状態で示す正面図。
【図９】本発明に従って構成された中栓と蓋本体を組み合わせた状態で容器に装着させ、蓋本体を中栓に対して開方向に略１８０度回転せしめた状態で示す断面図。
【図１０】本発明に従って構成された中栓と蓋本体を組み合わせた状態で容器に装着させ、蓋本体を中栓に対して開方向に略１８０度回転せしめ、外蓋を旋回開回動せしめた状態で示す正面図。
【図１１】本発明の容器蓋における中栓の他の実施形態の断面図。
【図１２】図１１に示す中栓を備えた本発明の容器蓋を、中栓と蓋本体を組み合わせた状態で容器に装着し、蓋本体を開方向に略１８０度回転せしめた状態で示す断面図。
【発明を実施するための形態】
【００１３】
以下、本発明の実施形態を図示している添付図面を参照して、更に詳細に説明する。
【００１４】
本発明に従って構成される容器蓋は、図１乃至図３に示す中栓４と図４及び図５に示す蓋本体６から構成され、中栓４及び蓋本体６はいずれもポリエチレン又はポリプロピレンの如き合成樹脂から一体に形成されている。
【００１５】
図１乃至図３を参照して説明すると、中栓４は閉塞壁８及び筒形装着壁１０を含む。閉塞壁８は外周縁部が半径方向外方且つ上方に傾斜せしめられているが全体として水平に延在せしめられており、閉塞壁８の外周縁部下面には下方に延出する円筒形シール壁１２が形成せしめられている。装着壁１０の内周面は軸線方向略中間部において閉塞壁８の外周縁と接続せしめられている。装着壁１０の外周面上端には後述する蓋本体６の嵌合壁に形成された環状被係止突条と係合する半径方向外方に突出する環状係止突条１４が形成され、装着壁１０の内周面下端には後述する容器口頸部の係止あご部と係合する半径方向内方に突出する環状係止突条１６が形成されている。図３に図示するとおり、装着壁１０の外周面には、後述する嵌合壁に形成される位置決め突起と協働する少なくとも１個の位置決め溝１８が形成されているのが好適である。図示の実施形態においては、４個の位置決め溝１８が間隔をおいて係止突条１４に形成されている。装着壁１０の外周面には、後述する嵌合壁に形成される突出部と相互に協働することで、中栓４に対して蓋本体６が上方から見て時計方向に回転するのを阻止する回転阻止手段と、中栓４に対して蓋本体６の上方から見て反時計方向への回転を所定角度に制限する回転制限手段と、中栓４に対して蓋本体６が時計方向に回転制限手段によって制限されるまで回転せしめられると中栓４に対して蓋本体６が上方から見て時計方向に回転するのを阻止する逆転阻止手段と、が形成されているのが好適である。図示の実施形態においては、図２及び図３に明確に図示する如く、回転阻止手段として半径方向外方に突出した１個の矩形状突出部２６と、回転制限手段として半径方向外方に突出した１個の矩形状突出部２８と、逆転阻止手段として半径方向外方に突出した２個のラチェット爪３０と、が夫々形成されている。突出部２６と突出部２８は直径方向略対向位置において、装着壁１０の軸線方向略中間部に形成せしめられている。２個のラチェット爪３０は直径方向対向位置において、装着壁１０の軸線方向略中間部であって突出部２６と突出部２８よりも僅かに下方に、半径方向外方に鋭く切り立った面が図２における反時計方向側を向いて形成されている。更に、装着壁１０の外周面下端部は比較的肉厚にせしめられ、環状空隙３２とつまみ３４が形成されている。かような装着壁１０の下端部の構成は、容器蓋の分別廃棄に際して、容器蓋を容器口部から容易に取り除くことを可能とし、それ自体周知な形状であり、詳細については特開平１０−５９４００号及び特開２００４−８３０９２号公報を参照されたい。
【００１６】
図１と共に図２を参照して説明すると、閉塞壁８の上面には少なくとも１個の破断可能薄肉ライン３６が形成されていることが重要である。図示の実施形態においては、２個の薄肉ライン３６が形成され、閉塞壁８の中心に関して点対称に位置せしめられている。薄肉ライン３６は、閉塞壁８の中央から半径方向外方に所定距離だけ離隔して位置する曲率半径が比較的小さい半円形状の破断開始端部３７から反時計方向に延びる外側弧状部３８と、外側弧状部３８よりも半径方向内方であって破断開始端部３７から反時計方向に延びる内側弧状部４０とを有する。更に詳細には、図示の実施形態においては、外側弧状部３８は破断開始端部３７の半径方向外側端より全体として円弧状に、内側弧状部４０は破断開始端部３７の半径方向内側端より直線に所定距離だけ延びた後に円弧状にせしめられるが全体として円弧状に、形成せしめられている。外側弧状部３８と内側弧状部４０との間には円弧状変形領域４２が規定されている。更に、変形領域４２における破断開始端部３７の近傍上面には後述する蓋本体６の覆壁に形成されている係止手段と係止する被係止手段４４が配設されていることが重要である。図示の実施形態において、被係止手段４４は支柱４６とリング４８から構成されている。支柱４６は破断開始端部３７の図２における時計方向端より僅かに反時計方向側に位置し、その横断面形状は略矩形形状を有する。リング４８は平面図において略楕円形状であって、支柱４６の上端に半径方向外方に付設せしめられており、リング４８の外周面は下方に漸次傾斜せしめられている。
【００１７】
図４及び図５を参照して説明すると、蓋本体６は、円形覆壁５０と、覆壁５０の外周縁より垂下せしめられる筒形嵌合壁５２を含む。覆壁５０の下面周縁部には、中栓４と蓋本体６とを組み合わせた状態において装着壁１０の内周面と密接する円筒形シール壁５８が垂下して形成されている。覆壁５０の上面周縁部には、上方に延出する比較的低い円筒形係止壁６０と、かかる係止壁６０よりも半径方向内方に係止壁６０よりも高く上方に延出する円筒形注出壁６２が形成されている。シール壁５８及び係止壁６０並びに注出壁６２の中心位置はいずれも覆壁５０の中心位置と同一に位置せしめられている。係止壁６０の上端には、後述する外蓋に形成された被係止溝と係合する、半径方向外方に突出した環状係止突条６４が形成されている。注出壁６２の図４における右側においては、図４における左側と比べて覆壁５０からの上方への延出高さが低く、注出壁６２の上端は半径方向外方且つ上方へ傾斜せしめられている。一方、注出壁６２の図４において左側は、注出壁６２の上端が半径方向外方に湾曲せしめられたリップ形状にせしめられている。覆壁５０の中央領域には２個の蒲鉾形排出開口６６が形成され、排出開口６６の夫々の直線部分が後述するヒンジ手段と平行になるように若干の間隔を有して左右対称に位置せしめられている。図４及び図５より明確に理解されるとおり、嵌合壁５２には、図５において上端部及び下端部（後述するヒンジ手段から図５において、夫々、反時計方向及び時計方向に略９０度の角度間隔をおいた部分）に、夫々、略矩形状の切欠６８が形成されている。嵌合壁５２の内周面における軸線方向略中間部には、中栓４と蓋本体６との組み合わせ時において中栓４の係止突条１４と係合する複数個、図示の実施形態においては夫々４個、の幅広な被係止突条７０ａと幅狭な被係止突条７０ｂとが形成されている。また、嵌合壁５２の内周面には、装着壁１０に形成されている位置決め溝１８と協働する少なくとも１個の位置決め突起７２が形成されているのが好適である。図示の実施形態においては、４個の位置決め突起７２が隣接する被係止突条７０ａと被係止突条７０ｂとの周方向における中間位置であって、且つ隣接する被係止突条７０ａ及び被係止突条７０ｂの軸線方向における若干下方位置に形成せしめられている。所望ならば、嵌合壁５２の外周面に位置決め溝を形成し、装着壁１０に位置決め突起を形成せしめてもよい。嵌合壁５２の内周面には、回転阻止手段及び回転制限手段並びに逆転阻止手段が形成されているのが好適である。図示の実施形態においては、回転阻止手段及び回転制限手段並びに逆転阻止手段は半径方向内方に突出した矩形突出部７４であり、突出部７４は図５における左端近傍よりも僅かに時計方向側であって、位置決め突起７２の若干下方に位置せしめられている。
【００１８】
図４及び図５を参照して説明を続けると、覆壁５０の下面には、中栓４に蓋本体６を装着すると中栓４の被係止手段４４に係止せしめられる係止手段８６が配設されているのが重要である。図示の実施形態においては、係止手段８６は覆壁５０から垂下する２個のフック形状片８８から構成される。フック形状片８８は排出開口６６よりも半径方向外方であって、その中心が図５において切欠６８の中心と覆壁５０の中心とを結ぶ同一直線状に位置せしめられる。更にフック形状片８８はそのフック先端部が図５において時計方向側（即ち、中栓４を蓋本体６に組み合わせた状態で上方から見て反時計方向側）を向くように位置せしめられている。
【００１９】
嵌合壁５２の上端においてヒンジ手段５４を介して接続される外蓋５６は、中央部が（図４においては下方に）僅かに膨張した略円形天面壁７６と天面壁７６の外周縁より垂下する円筒形スカート壁７８から構成されている。天面壁７６の内面中央には略円筒形シール壁８０が形成され、シール壁８０の延出長さはヒンジ手段５４に近接する部分から離隔するに従い漸次短くせしめられている。また、天面壁７６のヒンジ手段５４と直径方向反対位置には半径方向外方に突出した鍔部８２が形成されており、消費者は外蓋５６を図８に示す閉位置から図１０に示す開位置へ旋回せしめる際に容易に指を掛けることができる。スカート壁７８の内周面下端には外蓋５６の閉位置において係止壁６０の係止突条６４と係合する環状被係止溝８４が形成されている。
【００２０】
図６を参照して説明を続けると、上述したとおりの中栓４及び蓋本体６は図６に図示するとおりに組み合わせて流通させる。詳述すると、中栓４に蓋本体６を位置合わせ、即ち周方向において中栓４の位置決め溝１８に蓋本体６の位置決め突起７２を整合せしめて、中栓４に蓋本体６を被嵌せしめる。かくして、蓋本体６に形成された被係止突条７０及び突出部７４は中栓４の係止突条１４を弾性的に乗り越え、被係止突条７０と係止突条１４との協働により中栓４と蓋本体６は固定される。蓋本体６のフック形状片８８は中栓４のリング４８を通過することで、フック形状片８８の先端部がリング４８に係止せしめられるが、この段階ではフック形状片８８の上方から見た反時計方向先端はリング４８の内周面と当接せしめられてはいない。突出部７４は図２における突出部２６の反時計方向側に位置し、切欠６８の反時計方向側の側縁部は、ラチェット爪３０の図２において半径方向外方に鋭く切り立った面の反時計方向側に位置する。これにより、組み合わせた状態で蓋本体６が中栓４に対して所定方向と反対方向、即ち時計方向に回転せしめられることが確実に回避される。この状態で、中栓４及び蓋本体６は図６に二点鎖線で図示するガラス或いはポリエチレンテレフタレート製の如き適宜の容器の口頸部９０に装着される。口頸部９０は上面が開口された略円筒形状であり、その外周面上端部には環状係止あご部９２が形成されている。中栓４及び蓋本体６は、中栓４のシール壁１２を口頸部９０内に挿入し、装着壁１０を口頸部９０の外周に被嵌せしめることによって口頸部９０に装着される。シール壁１２の外周面は口頸部９０の内周面に密接せしめられる。装着壁１０の内周面に形成されている係止突条１６は、口頸部９０の係止あご部９２を弾性的に乗り越えて、これに係止せしめられ、容器の口頸部９０に中栓４及び蓋本体６が保持される。
【００２１】
容器内に収容されている内容物を消費する際には、最初に、例えば蓋本体６の嵌合壁５２の外周面に指を掛けて蓋本体６を中栓４に対して図７に図示する状態から図８に図示する状態まで所定方向、即ち上方から見て反時計方向へ、相対的に略１８０度の角度範囲に渡って回転せしめる。かかる回転は中栓４における装着壁１０の内周面と蓋本体６におけるシール壁５８の外周面との密接状態は維持されたまま行われる。この時、覆壁５０の下面に形成されているフック形状片８８も上方から見て反時計方向に回転せしめられるが、フック形状片８８は中栓４のリング４８と係合している故に、上記回転には時計方向への反力が生じる。かかる反力に抗して蓋本体６を回転せしめると、変形領域４２の破断開始端部３７に応力が集中し、薄肉ライン３６の破断が開始せしめられる。上記回転を継続せしめると、フック形状片８８とリング４８とは係合状態を維持したまま、上記回転に伴って上方から見て反時計方向に回転せしめられる。その際、リング４８は支柱４６を介して変形領域４２と連接されており、変形領域４２は破断可能な外側弧状部３８と内側弧状部４０に挟まれている故に、上記回転に従って破断が漸次進行する。然るに、変形領域４２は図９に図示する如く変形領域４２の下流端（図２において二点鎖線で図示）を閉塞壁８に連接せしめたまま支柱４６の下方に適宜折りたたまれ、かくして通過開口９４が形成せしめられる。上記回転が略１８０度に達すると突出部７４が突出部２８に当接し、以後の回転が阻止されて上記回転の完了を消費者が認知することができる。更に、上記の如く中栓４に対して蓋本体６が反時計方向に回転せしめられる際には、切欠６８の反時計方向側の側縁部がラチェット爪３０の傾斜面を弾性的に乗り越え、切欠６８の反時計方向側の側縁部がラチェット爪３０の半径方向外方に鋭く切り立った面よりも反時計方向側に位置せしめられ、これによって蓋本体６が中栓４に対して時計方向に回転せしめることが防止される。
【００２２】
次いで、鍔部８２に指を掛けて外蓋５６を上方に強制すると、外蓋５６は図８に図示する閉位置から図１０に図示する開位置に旋回開回動せしめられ、注出壁６２が露呈される。次いで、容器を適宜に傾斜せしめれば、容器内の内容物が通過開口９４及び排出開口６６を通して注出壁６２に案内され、排出される。内容物を所定量注出した後、ヒンジ手段５４を旋回中心として外蓋５６を旋回閉回動せしめると、外蓋５６は蓋本体６の覆壁５０及びその上面に形成されている注出壁６２を覆う。外蓋５６のシール壁８０は注出壁６２内に進入せしめられ、シール壁８０の外周面が注出壁６２の内周面に密接せしめられシールされる。
【００２３】
図１１には本発明に従って構成された容器蓋の他の実施形態が図示されている。図１１に図示する中栓１０４においては、閉塞壁１０８に形成された２個の変形領域１４２は外側弧状部１３８及び内側弧状部１４０に沿って下方に漸次傾斜せしめられている。これにより、図１２に図示する如く通過開口１９４を形成する際に、破断して上方に変形せしめられた変形領域１４２が支柱１４６の下方にて閉塞壁１０８と干渉することが回避されると共に支柱１４６に軸線方向下方への力が付加されることにより、閉塞壁が水平にせしめられているよりも大きな通過開口１９４を充分容易に形成せしめることが可能となる。図１１に図示する実施形態における上述した構成以外の構成は、図１乃至図１０に図示する上記実施形態と実質上同一である。
【符号の説明】
【００２４】
４：中栓
６：蓋本体
８：閉塞壁
１０：装着壁
１８：位置決め溝
２６：突出部
２８：突出部
３０：ラチェット爪
３６：薄肉ライン
３８：外側弧状部
４０：内側弧状部
４２：変形領域
４４：被係止手段
４６：支柱
４８：リング
５０：覆壁
５２：嵌合壁
５６：外蓋
６６：排出開口
６８：切欠
７２：位置決め突起
７４：突出部
７６：天面壁
７８：スカート壁
８６：係止手段
８８：フック形状片
９０：口頸部
９２：係止あご部
９４：通過開口
１０４：中栓
１０８：閉塞壁
１３８：外側弧状部
１４０：内側弧状部
１４２：変形領域
１４６：支柱
１９４：通過開口
【図１】
2014101125.tif 000003
【図２】
2014101125.tif 000004
【図３】
2014101125.tif 000005
【図４】
2014101125.tif 000006
【図５】
2014101125.tif 000007
【図６】
2014101125.tif 000008
【図７】
2014101125.tif 000009
【図８】
2014101125.tif 000010
【図９】
2014101125.tif 000011
【図１０】
2014101125.tif 000012
【図１１】
2014101125.tif 000013
【図１２】
2014101125.tif 000014
【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には少なくとも１個の破断可能薄肉ラインが形成されており、該破断可能薄肉ラインは破断開始端部から延びる外側弧状部と該破断開始端部から延びる内側弧状部とを有し、該外側弧状部と該内側弧状部との間に弧状変形領域が規定されており、
該変形領域における該破断開始端近傍上面には被係止手段が配設されており、
該蓋本体の該覆壁には少なくとも１個の排出開口が形成されており、該覆壁の下面には該中栓に該蓋本体を装着すると該中栓の該被係止手段に係止せしめられる係止手段が配設されており、
該中栓に該蓋本体を装着した状態において、該中栓に対して該蓋本体を所定方向に回転せしめると、該係止手段及び該被係止手段を介して該変形領域に力が加えられ、該中栓の該破断可能薄肉ラインが破断されると共に該変形領域が変形され、これによって該中栓の該閉塞壁に通過開口が生成される、
ことを特徴とする容器蓋。
【請求項２】
該中栓の該閉塞壁には該破断可能薄肉ラインが周方向に等間隔をおいて２個乃至３個形成され、該変形領域が周方向に等間隔をおいて２個乃至３個規定されている、請求項１記載の容器蓋。
【請求項３】
該中栓の該装着壁の外周面と該蓋本体の該嵌合壁の内周面との一方には、少なくとも１個の位置決め溝が形成され、他方には少なくとも１個の位置決め突起が形成されており、該位置決め溝内に該位置決め突起を進入せしめて該中栓に該蓋本体を装着することによって、該中栓に対する該蓋本体の相対的角度位置が規制され、該中栓の該被係止手段の各々に該蓋本体の該係止手段の各々が係止せしめられる、請求項１又は２記載の容器蓋。
【請求項４】
該中栓の該被係止手段は、該変形領域から上方に延びる支柱と該支柱に付設されたリングとから構成されており、該蓋本体の該係止手段は、該覆壁から垂下するフック形状片から構成されている、請求項１から３までのいずれかに記載の容器蓋。
【請求項５】
該中栓の該閉塞壁に形成されている該破断可能薄肉ラインの該外側弧状部及び該内側弧状部は上方から見て反時計方向に該破断開始端から延在し、該所定方向は上方から見て反時計方向である、請求項１から４までのいずれかに記載の容器蓋。
【請求項６】
該中栓の該装着壁の外周面と該蓋本体の該嵌合壁の内周面とには、相互に協働して該中栓に対して該蓋本体が該所定方向に対して反対方向に回転するのを阻止する回転阻止手段が形成されている、請求項１から５までのいずれかに記載の容器蓋。
【請求項７】
該中栓の該装着壁の外周面と該蓋本体の該嵌合壁の内周面とには、該中栓に対する該蓋本体の上方から見て反時計方向への回転を所定角度に制限する回転制限手段が形成されている、請求項１から６までのいずれかに記載の容器蓋。
【請求項８】
該中栓の該装着壁の外周面と該蓋本体の該嵌合壁の内周面とには、該中栓に対して該蓋本体が該反時計方向に該回転制限手段によって制限されるまで回転せしめられると、該中栓に対して該蓋本体が該所定方向に対して反対方向に回転するのを阻止する逆転阻止手段が形成されている、請求項７記載の容器蓋。
【請求項９】
該中栓の該閉塞壁に規定されている該変形領域は該破断開始端から該破断可能薄肉ラインの破断方向に向かって漸次下方に傾斜せしめられている、請求項１から８までのいずれかに記載の容器蓋。
【手続補正２】
【補正対象書類名】明細書
【補正対象項目名】０００２
【補正方法】変更
【補正の内容】
【０００２】
下記特許文献１には、容器の口頸部に装着される合成樹脂製中栓とこの中栓に装着される合成樹脂製蓋本体とから構成された容器蓋が開示されている。中栓は円形閉塞壁及びこの閉塞壁の外周縁に接続された筒形装着壁を含み、装着壁を容器の口頸部の外周面に嵌合せしめることによって容器の口頸部に装着され、閉塞壁が容器の口頸部を閉塞する。蓋本体は円形覆壁及びこの覆壁の外周面に接続された嵌合壁を含み、嵌合壁の内周面に形成されている雌螺条を中栓の装着壁の外周面に形成されている雄螺条に螺合せしめることによって中栓に装着され、覆壁は中栓の閉塞壁の上方に位置する。中栓の閉塞壁には勾玉状の除去領域を規定する破断可能薄肉ラインが形成されていると共に、除去領域から上方に延出する鍵状被係止片が形成されている。蓋本体の覆壁の下面には中栓の被係止片に係止せしめられる鍵状係止片が形成されている。中栓に蓋本体が所用とおりに装着されている状態において、中栓に対して蓋本体を上方から見て反時計方向（中栓から蓋本体を離脱する方向）に回転せしめると、蓋本体の係止片及び中栓の被係止片を介して中栓の除去領域に力が加えられ、破断可能薄肉ラインが破断されて除去領域が閉塞壁から除去され、これによって閉塞壁に通過開口が生成される。
【手続補正３】
【補正対象書類名】明細書
【補正対象項目名】０００８
【補正方法】変更
【補正の内容】
【０００８】
即ち、本発明によれば、上記主たる技術的課題を達成することができる容器蓋として、容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には少なくとも１個の破断可能薄肉ラインが形成されており、該破断可能薄肉ラインは破断開始端部から延びる外側弧状部と該破断開始端部から延びる内側弧状部とを有し、該外側弧状部と該内側弧状部との間に弧状変形領域が規定されており、
該変形領域における該破断開始端近傍上面には被係止手段が配設されており、
該蓋本体の該覆壁には少なくとも１個の排出開口が形成されており、該覆壁の下面には該中栓に該蓋本体を装着すると該中栓の該被係止手段に係止せしめられる係止手段が配設されており、
該中栓に該蓋本体を装着した状態において、該中栓に対して該蓋本体を所定方向に回転せしめると、該係止手段及び該被係止手段を介して該変形領域に力が加えられ、該中栓の該破断可能薄肉ラインが破断されると共に該変形領域が変形され、これによって該中栓の該閉塞壁に通過開口が生成される、
ことを特徴とする容器蓋が提供される。
【手続補正４】
【補正対象書類名】明細書
【補正対象項目名】００１０
【補正方法】変更
【補正の内容】
【００１０】
好ましくは、該中栓の該閉塞壁には該破断可能薄肉ラインが周方向に等間隔をおいて２個乃至３個形成され、該変形領域が周方向に等間隔をおいて２個乃至３個規定されている。  該中栓の該装着壁の外周面と該蓋本体の該嵌合壁の内周面との一方には、少なくとも１個の位置決め溝が形成され、他方には少なくとも１個の位置決め突起が形成されており、該位置決め溝内に該位置決め突起を進入せしめて該中栓に該蓋本体を装着することによって、該中栓に対する該蓋本体の相対的角度位置が規制され、該中栓の該被係止手段の各々に該蓋本体の該係止手段の各々が係止せしめられるのが好適である。該中栓の該閉塞壁に形成されている該破断可能薄肉ラインの該外側弧状部及び該内側弧状部は上方から見て反時計方向に該破断開始端から延在し、該所定方向は上方から見て反時計方向であるのが好都合である。該中栓の該装着壁の外周面と該蓋本体の該嵌合壁の内周面とには、相互に協働して該中栓に対して該蓋本体が該所定方向に対して反対方向に回転するのを阻止する回転阻止手段が形成されており、また該中栓に対する該蓋本体の該所定方向への回転を所定角度に制限する回転制限手段が形成されており、そして更に該中栓に対して該蓋本体が該所定方向に該回転制限手段によって制限されるまで回転せしめられると、該中栓に対して該蓋本体が該所定方向に対して反対方向に回転するのを阻止する逆転阻止手段が形成されているのが好ましい。好適には、該中栓の該閉塞壁に規定されている該変形領域は該破断開始端から該破断可能薄肉ラインの破断方向に向かって漸次下方に傾斜せしめられている。
【手続補正５】
【補正対象書類名】明細書
【補正対象項目名】００１２
【補正方法】変更
【補正の内容】
【００１２】
【図１】本発明に従って構成された容器蓋の好適実施形態における中栓の、図２の線Ａ−Ａに沿った断面図。
【図２】図１に示す中栓の平面図。
【図３】図１に示す中栓の正面図。
【図４】本発明に従って構成された容器蓋の好適実施形態における蓋本体の断面図。
【図５】図４に示す蓋本体の底面図。
【図６】本発明に従って構成された中栓と蓋本体を組み合わせた状態で容器に装着させた状態の断面図。
【図７】本発明に従って構成された中栓と蓋本体を組み合わせた状態で容器に装着させた状態の正面図。
【図８】本発明に従って構成された中栓と蓋本体を組み合わせた状態で容器に装着させ、蓋本体を中栓に対して開方向に略１８０度回転せしめた状態で示す正面図。
【図９】本発明に従って構成された中栓と蓋本体を組み合わせた状態で容器に装着させ、蓋本体を中栓に対して開方向に略１８０度回転せしめた状態で示す断面図。
【図１０】本発明に従って構成された中栓と蓋本体を組み合わせた状態で容器に装着させ、蓋本体を中栓に対して開方向に略１８０度回転せしめ、外蓋を旋回開回動せしめた状態で示す正面図。
【図１１】本発明の容器蓋における中栓の他の実施形態の断面図。
【図１２】図１１に示す中栓を備えた本発明の容器蓋を、中栓と蓋本体を組み合わせた状態で容器に装着し、蓋本体を開方向に略１８０度回転せしめた状態で示す断面図。
【手続補正６】
【補正対象書類名】明細書
【補正対象項目名】００１５
【補正方法】変更
【補正の内容】
【００１５】
図１乃至図３を参照して説明すると、中栓４は閉塞壁８及び筒形装着壁１０を含む。閉塞壁８は外周縁部が半径方向外方且つ上方に傾斜せしめられているが全体として水平に延在せしめられており、閉塞壁８の外周縁部下面には下方に延出する円筒形シール壁１２が形成せしめられている。装着壁１０の内周面は軸線方向略中間部において閉塞壁８の外周縁と接続せしめられている。装着壁１０の外周面上端には後述する蓋本体６の嵌合壁に形成された環状被係止突条と係合する半径方向外方に突出する環状係止突条１４が形成され、装着壁１０の内周面下端には後述する容器口頸部の係止あご部と係合する半径方向内方に突出する環状係止突条１６が形成されている。図３に図示するとおり、装着壁１０の外周面には、後述する嵌合壁に形成される位置決め突起と協働する少なくとも１個の位置決め溝１８が形成されているのが好適である。図示の実施形態においては、４個の位置決め溝１８が間隔をおいて係止突条１４に形成されている。装着壁１０の外周面には、後述する嵌合壁に形成される突出部と相互に協働することで、中栓４に対して蓋本体６が上方から見て時計方向に回転するのを阻止する回転阻止手段と、中栓４に対して蓋本体６の上方から見て反時計方向への回転を所定角度に制限する回転制限手段と、中栓４に対して蓋本体６が時計方向に回転制限手段によって制限されるまで回転せしめられると中栓４に対して蓋本体６が上方から見て時計方向に回転するのを阻止する逆転阻止手段と、が形成されているのが好適である。図示の実施形態においては、図２及び図３に明確に図示する如く、回転阻止手段として半径方向外方に突出した１個の矩形状突出部２６と、回転制限手段として半径方向外方に突出した１個の矩形状突出部２８と、逆転阻止手段として半径方向外方に突出した２個のラチェット爪３０と、が夫々形成されている。突出部２６と突出部２８は直径方向略対向位置において、装着壁１０の軸線方向略中間部に形成せしめられている。２個のラチェット爪３０は直径方向対向位置において、装着壁１０の軸線方向略中間部であって突出部２６と突出部２８よりも僅かに下方に、半径方向外方に鋭く切り立った面が図２における反時計方向側を向いて形成されている。更に、装着壁１０の外周面下端部は比較的肉厚にせしめられ、環状空隙３２とつまみ３４が形成されている。かような装着壁１０の下端部の構成は、容器蓋の分別廃棄に際して、中栓を容器口部から容易に取り除くことを可能とするためのものであり、それ自体は周知な形状であり、その詳細については例えば特開平１０−５９４００号及び特開２００４−８３０９２号公報を参照されたい。
【手続補正７】
【補正対象書類名】明細書
【補正対象項目名】００１６
【補正方法】変更
【補正の内容】
【００１６】
図１と共に図２を参照して説明すると、閉塞壁８には少なくとも１個の破断可能薄肉ライン３６が形成されていることが重要である。図示の実施形態においては、２個の薄肉ライン３６が形成され、閉塞壁８の中心に関して点対称に位置せしめられている。薄肉ライン３６は、閉塞壁８の中央から半径方向外方に所定距離だけ離隔して位置する曲率半径が比較的小さい半円形状の破断開始端部３７から反時計方向に延びる外側弧状部３８と、外側弧状部３８よりも半径方向内方であって破断開始端部３７から反時計方向に延びる内側弧状部４０とを有する。更に詳細には、図示の実施形態においては、外側弧状部３８は破断開始端部３７の半径方向外側端より全体として円弧状に、内側弧状部４０は破断開始端部３７の半径方向内側端より直線状に所定距離だけ延びた後に円弧状に延び、全体として弧状である。外側弧状部３８と内側弧状部４０との間には円弧状変形領域４２が規定されている。更に、変形領域４２における破断開始端部３７の近傍上面には後述する蓋本体６の覆壁に形成されている係止手段と係止する被係止手段４４が配設されていることが重要である。図示の実施形態において、被係止手段４４は支柱４６とリング４８から構成されている。支柱４６は破断開始端部３７の図２における時計方向端より僅かに反時計方向側に位置し、その横断面形状は略矩形形状を有する。リング４８は平面図において略楕円形状であって、支柱４６の上端に半径方向外方に付設せしめられており、リング４８の外周面は下方に漸次傾斜せしめられている。
【手続補正８】
【補正対象書類名】明細書
【補正対象項目名】００２０
【補正方法】変更
【補正の内容】
【００２０】
図６を参照して説明を続けると、上述したとおりの中栓４及び蓋本体６は図６に図示するとおりに組み合わせて流通させる。詳述すると、中栓４に蓋本体６を位置合わせ、即ち周方向において中栓４の位置決め溝１８に蓋本体６の位置決め突起７２を整合せしめて、中栓４に蓋本体６を被嵌せしめる。かくして、蓋本体６に形成された被係止突条７０ａ及び７０ｂ及び突出部７４は中栓４の係止突条１４を弾性的に乗り越え、被係止突条７０ａ及び７０ｂと係止突条１４との協働により中栓４と蓋本体６は固定される。蓋本体６のフック形状片８８は中栓４のリング４８を通過することで、フック形状片８８の先端部がリング４８に係止せしめられるが、この段階ではフック形状片８８の上方から見た反時計方向先端はリング４８の内周面と当接せしめられてはいない。突出部７４は図２における突出部２６の反時計方向側に位置し、切欠６８の反時計方向側の側縁部は、ラチェット爪３０の図２において半径方向外方に鋭く切り立った面の反時計方向側に位置する。これにより、組み合わせた状態で蓋本体６が中栓４に対して所定方向と反対方向、即ち時計方向に回転せしめられることが確実に回避される。この状態で、中栓４及び蓋本体６は図６に二点鎖線で図示するガラス或いはポリエチレンテレフタレート製の如き適宜の容器の口頸部９０に装着される。口頸部９０は上面が開口された略円筒形状であり、その外周面上端部には環状係止あご部９２が形成されている。中栓４及び蓋本体６は、中栓４のシール壁１２を口頸部９０内に挿入し、装着壁１０を口頸部９０の外周に被嵌せしめることによって口頸部９０に装着される。シール壁１２の外周面は口頸部９０の内周面に密接せしめられる。装着壁１０の内周面に形成されている係止突条１６は、口頸部９０の係止あご部９２を弾性的に乗り越えて、これに係止せしめられ、容器の口頸部９０に中栓４及び蓋本体６が保持される。